(57)【特許請求の範囲】
【請求項１】
荷重分散型アースアンカーの各引張材が、最大荷重において均等な緊張力となるように緊張し、各引張材の伸びを等量緩めて定着する緊張方法。
【請求項２】
請求項１において、長い引張材から順に他の引張材との伸びの差分を解消するように緊張する緊張方法。
【請求項３】
荷重分散型アースアンカーの各引張材が、最大荷重に対する伸びから等量戻して定着してある荷重分散型アースアンカー。
【発明の詳細な説明】
【０００１】
【発明の属する技術分野】
本発明は、異なる深さにアンカー体を設置する荷重分散型アースアンカーの引張材の緊張方法に関するものである。
【０００２】
【従来の技術】
異なる深さにアンカー体を設置し、引張材を緊張定着する荷重分散型アースアンカーのタイプには、図４に示す引張材を異なる深さに定着させた引張分散型、図５の耐荷体を異なる深さに設置した圧縮分散型、更に図６の圧縮分散型で引張材を耐荷体にＵターンさせるものがあり、その定着方式が種々提案されている。特公平５−３０９３２号公報に示されるように、各引張材を均一な緊張力で定着する方式、また、特許第２５３９３１９号に示されるように、引張材の長いものほど大きな緊張力で定着する方式がある。
本願出願人は、均一な緊張力で定着するための緊張方法として、特公平５−３０９３２号公報や特許第２６５５８２０号公報に示されるように、各引張材に生ずる伸びの差分を解消するように引張材の長いほうから緊張する順次緊張方法（異時緊張方法）を提案している。
【０００３】
【発明が解決しようとする課題】
アンカー体が４個の荷重分散型アースアンカーの各引張材を前述の順次緊張方法により均一な緊張力で定着する場合の緊張管理図を図２に示す。横軸が引張材の伸び、縦軸が緊張力を示す。アースアンカー全体の定着力をＰｔとし、各引張材が均等にＰを分担するものとして定着する。したがってＰｔ＝４Ｐとなる。そこで、定着時荷重Ｐにおける各引張材の伸びδ1〜δ4を計算し、最初に 一番長い第１引張材のみをプリングヘッドに固定し、ジャッキを伸長させてプリングヘッドを押して引張材を緊張し、二番目に長い第２引張材との伸びの差分（δ1−δ2）を緊張する。伸びの差分が解消されたことはジャッキのストロークを計測することによっておこなう。図２の緊張管理図においては、第１引張材が▲３▼の位置まで緊張されている。
【０００４】
次に、第２引張材をプリングヘッドに固定し、更にジャッキを伸長させ第１、第２引張材を一緒に緊張し、第２と第３引張材の伸びの差分（δ2−δ3）を解消する。緊張管理図で▲５▼の位置である。第２引張材の緊張力は第１引張材の緊張力に加算するように表しているので、第２引張材に実際に導入されている緊張力は第１引張材の伸び−緊張力を示す線との差の部分である。この作業を第３、第４引張材にも同様におこない、所定の定着時荷重Ｐｔまで緊張し、各引張材をアンカーヘッドに楔で固定し、等しい緊張力Ｐで定着している。
【０００５】
この分散型アースアンカーのアンカー体のせん断抵抗は、アンカー体全体としてみるとほぼ平均化される。しかし、アースアンカーが定着されている構造物に外力が作用してアースアンカーにＴｍａｘの荷重が作用した場合を考えると、図２の緊張管理図に示すように、各引張材の伸びδｅによって定着時緊張力Ｐｔに追加される各引張材の緊張力Ｔ1〜Ｔ4は、短い引張材のものほど大きくなり、Ｔ1＜Ｔ2＜Ｔ3＜Ｔ4となる。言い換えると、長い引張材ほど破断荷重に達するまでの伸びに余裕があり、短い引張材は伸びに対して相対的に余裕が小さい。したがって、短い引張材に過大な応力が生じ破断する恐れがある。
【０００６】
そこで、本発明は、短い引張材が荷重に対し十分な伸びの余裕を有するように緊張定着することで引張材の破断、アンカー体の抜け出しを防止しようとするものである。
【０００７】
【課題を解決するための手段】
引張材を定着力より大きな緊張力で緊張し、定着力まで緩めて定着することにより、各引張材がほぼ均一な伸びの余裕を有するようにしたものである。
緊張手順としては、定着時荷重より大きな緊張力（以下最大荷重）が各引張材に導入されるように緊張し、緊張力を定着力まで緩めて定着することにより、各引張材に最大荷重に対して同一の伸び余裕が生ずるようにした。
最大荷重は、引張材の破断荷重、許容最大緊張力などから選択して決定する。
【０００８】
【作用】
各引張材を定着時荷重より大きな力で緊張してから緩めるため、各引張材は、最大荷重に対して伸び余裕を有することになり、短い引張材も最大荷重に対して十分な伸び余裕を有することになる。したがって、アースアンカーに大きな外力が作用しても短い引張材の破断や抜け出しが防止できるのである。
また、最大荷重において各引張材が等しく緊張されるように設定し、定着時荷重まで緩めると、各引張材は、最大荷重まで等しい伸び余裕を有することになる。
【０００９】
【実施の形態】
本発明の荷重分散型アースアンカーの緊張方法を図１の緊張管理図に基づいて説明する。
圧縮荷重分散型アースアンカーは、地中に削孔したアンカー孔内にグラウトを注入し、図７に示す長さの異なる引張材を耐荷体に固定してユニットとしたアンカーテンドンを挿入し、グラウトを固結させたものである。
【００１０】
耐荷体を４個としたもので緊張方法を説明する。したがって、引張材は、第１から第４までの４本であり、第１引張材が一番長く、第４引張材が一番短いものである。
図１において、横軸は引張材の伸び、縦軸はアンカーの緊張荷重を示している。アンカーの定着時荷重Ｐｔおよび最大荷重Ｔｍａｘを定め、最大荷重に対応する第１〜第４引張材の伸びδ1〜δ4をそれぞれ計算し、更に各引張材の伸びの差分（δ1−δ2）、（δ2−δ3）、（δ3−δ4）を計算しておく。
【００１１】
一番伸びの大きくなる第１引張材を、最初にジャッキのプリングヘッドに緊張用楔で固定し、他の引張材はプリングヘッドに固定せずにフリーの状態でジャッキを作動させ、ジャッキピストンを伸長させてプリングヘッドを緊張管理図において▲１▼から▲３▼まで押して第１引張材を緊張し、第１と第２の引張材の伸びの差分（δ1−δ2）をまず解消する。
【００１２】
第１引張材と第２引張材との伸びの差分が解消されたことを、ジャッキピストンのストロークで確認し、一旦ジャッキの作動を停止する。ジャッキのセット状況を詳細に検討すると、各所にゆるみが存在し、このゆるみがジャッキのストロークに加算されるので、ジャッキのストロークが、伸びの差分に正確に対応しないことがある。そのため、図３に示すように、緊張時に緊張用楔（プリングチャック）を緊張しない第２または第３または第４引張材に取り付けておき、この楔を目印としてプリングヘッドに固定された第１引張材の緊張用楔の頭部との間の距離を計測し、引張材の相対変位を正確に計測して伸びの差分が解消されたことを確認する。緊張用楔に代えて、クリップを引張材に固定したり、マーカーペン等で印を付け、マークとする。また、差分が解消されたことを引張材に作用している緊張荷重で確認してもよい。緊張荷重は、ジャッキの油圧メータで確認する。
【００１３】
次に２番目に長い第２引張材を緊張用楔でプリングヘッドに固定し、ジャッキを作動させて第１引張材と第２引張材を一緒に緊張し、第２引張材と第３引張材の伸びの差分（δ2−δ3）を解消する。緊張管理図においては、▲３▼の位置から▲５▼の位置まで伸びの差分（δ2−δ3）を緊張したことになり、この時点での第１引張材の伸びは（δ1−δ3）であり、第２引張材の伸びは（δ2−δ3）である。
【００１４】
同様に第３引張材と第４引張材の伸びの差分を解消する緊張作業をおこない、各引張材との伸びの差分が解消された時点（緊張管理図で▲７▼の位置）で全部の引張材をプリングヘッドに固定し、全部の引張材を一緒に最大荷重Ｔｍａｘまで緊張する。
緊張管理図からわかるように最大荷重において、各引張材は均等な荷重Ｔｂで緊張されておりＴｍａｘ＝４Ｔｂである。
【００１５】
緊張力が最大荷重Ｔｍａｘに達したことを確認したら、ジャッキを一定ストロークδｒだけ緩め、各引張材をアンカーヘッドに楔で定着する。各引張材は緊張が最大荷重より緩められたことにより、Ｐ1、Ｐ2、Ｐ3、Ｐ4の緊張力で定着されている。
等しい荷重で緊張された状態の各引張材を等しく緩めたので、短い引張材ほど緊張力は緩められ、定着時における各引張材の緊張力は、Ｐ1＞Ｐ2＞Ｐ3＞Ｐ4となる。
図１からもわかるように、各引張材は、最大荷重まで伸び余裕δｒを有することになり、最短の引張材の破断が防止されることになる。
【００１６】
【発明の効果】
荷重分散型アースアンカーにおいて、各引張材を最大荷重まで緊張した後、緊張を緩め、小さい荷重で定着することにより、破断までの引張材の伸び余裕を設け、最短の引張材が破断しやすいという欠点を解消した。
最大荷重において均等荷重になるように一旦緊張した後、緊張を緩めて引張材を定着することにより、緊張管理図に示されるように各引張材の最大荷重までの伸び余裕が等しくなり、最短の引張材に過大な応力が発生するのが防止され、引張材の破断や、アンカー体の破壊が生じにくくなる。
【図面の簡単な説明】
【図１】本発明の緊張管理図。
【図２】定着時緊張力を均等とした場合の緊張管理図。
【図３】伸びの差分緊張の確認方法の説明図。
【図４】引張分散型アースアンカーの断面図。
【図５】圧縮分散型アースアンカーの断面図。
【図６】Ｕターン型アースアンカーの断面図。
【図７】Ｕターン型アースアンカーのユニットの斜視図。
【符号の説明】
１ アンカー体
２ 耐荷体
３ 引張材
４ 定着金物
【図１】
0003860941.tif 000002
【図２】
0003860941.tif 000003
【図３】
0003860941.tif 000004
【図４】
0003860941.tif 000005
【図５】
0003860941.tif 000006
【図６】
0003860941.tif 000007
【図７】
0003860941.tif 000008